(57)【要約】【課題】  本発明は、電子機器において、表示体における表示効果の低下を抑制することを目的とする。【解決手段】  本発明は、基板６と、基板６上に実装された表示体５とを備え、表示体５は、基板６上に実装した表示素子９と、表示素子９を覆ったカバー１０とを有し、表示素子９は、その外周面において、複数の接続端子１１を基板６に延長するとともに、延長部において基板６と電気的に接続した構成とし、カバー１０は、表示素子９の上面を覆う上面部１３と、表示素子９の外周面を覆う外周面部１４とを有し、カバー１０の上面部に、表示素子９を目視するための目視用開口部１５を形成するとともに、カバー１０の外周面部１４で、接続端子１１に対向する部分には、通気用開口部１６を形成した。【選択図】図２
2012134340.tif 000002
【特許請求の範囲】
【請求項１】
基板と、この基板上に実装された表示体とを備え、前記表示体は、前記基板上に実装した表示素子と、この表示素子を覆ったカバーとを有し、前記表示素子は、その外周面において、複数の接続端子を前記基板に延長するとともに、この延長部において基板と電気的に接続した構成とし、前記カバーは、前記表示素子の上面を覆う上面部と、前記表示素子の外周面を覆う外周面部とを有し、前記カバーの上面部に、前記表示素子を目視するための目視用開口部を形成するとともに、前記カバーの外周面部で、前記接続端子に対向する部分には、通気用開口部を形成した電子機器。
【請求項２】
カバーの通気用開口部は、複数の接続端子が基板に電気的に接続されたエリアよりも水平方向に広くした請求項１に記載の電子機器。
【発明の詳細な説明】
【技術分野】
【０００１】
本発明は、基板と、この基板上に実装された表示体とを備えた電子機器に関するものである。
【背景技術】
【０００２】
従来のこの種、電子機器における表示体は、基板上に実装した表示素子と、この表示素子を覆ったカバーとを有し、前記カバー上面部には、前記表示素子を目視するための目視用開口部を形成するとともに、前記カバーの外周面部には、通気用開口部を形成した構造となっていた（例えば、下記特許文献１）。
【先行技術文献】
【特許文献】
【０００３】
【特許文献１】特開２００５−３２７４８号公報
【発明の概要】
【発明が解決しようとする課題】
【０００４】
上記従来例においては、前記表示体をカバーで覆うことにより、ノイズ対策を講じているが、表示体は表示素子用の光源による発熱を伴うので、その放熱のために、上述のごとく、カバーの外周面部には、通気用開口部を設けている。
【０００５】
しかしながら、このようにカバーの外周面部に通気用開口部を設けると、この通気用開口部を介して表示体から多くの光が漏れ出すことになり、その結果として、表示体の表示効果が低下してしまうという課題が発生してしまう。
【０００６】
そこで、本発明は、表示体における表示効果の低下を抑制することを目的とするものである。
【課題を解決するための手段】
【０００７】
そして、この目的を達成するために本発明は、基板と、この基板上に実装された表示体とを備え、前記表示体は、前記基板上に実装した表示素子と、この表示素子を覆ったカバーとを有し、前記表示素子は、その外周面において、複数の接続端子を前記基板に延長するとともに、この延長部において基板と電気的に接続した構成とし、前記カバーは、前記表示素子の上面を覆う上面部と、前記表示素子の外周面を覆う外周面部とを有し、前記カバーの上面部に、前記表示素子を目視するための目視用開口部を形成するとともに、前記カバーの外周面部で、前記接続端子に対向する部分には、通気用開口部を形成し、これにより所期の目的を達成するものである。
【発明の効果】
【０００８】
以上のように本発明は、基板と、この基板上に実装された表示体とを備え、前記表示体は、前記基板上に実装した表示素子と、この表示素子を覆ったカバーとを有し、前記表示素子は、その外周面において、複数の接続端子を前記基板に延長するとともに、この延長部において基板と電気的に接続した構成とし、前記カバーは、前記表示素子の上面を覆う上面部と、前記表示素子の外周面を覆う外周面部とを有し、前記カバーの上面部に、前記表示素子を目視するための目視用開口部を形成するとともに、前記カバーの外周面部で、前記接続端子に対向する部分には、通気用開口部を形成したものであるので、表示体における表示効果の低下を抑制することができる。
【０００９】
すなわち、本発明においては、前記カバーの外周面部で、前記接続端子に対向する部分には、通気用開口部を形成したものであるので、表示体から通気用開口部を介してカバー外に漏れ出そうとする光の一部は、この表示素子の外周面に設けた複数の接続端子で阻まれ、その結果としてカバー外に漏れ出す光の量を少なくすることができ、これにより表示体における表示効果の低下を抑制することができる。
【図面の簡単な説明】
【００１０】
【図１】本発明の一実施形態にかかる車載機器を搭載した自動車を模式的に示した図
【図２】同要部斜視図
【図３】同要部分解斜視図
【図４】同要部斜視図
【図５】同要部断面図
【発明を実施するための形態】
【００１１】
以下、本発明の一実施形態を、図面を用いて説明する。
【００１２】
（実施の形態１）
図１において、１は自動車の車内を示し、この車内１の前方にはハンドル２が配置されている。
【００１３】
また、ハンドル２の側方には、車載機器３の本体ケース４が配置されており、本体ケース４の前面には、車載機器３の動作状態などを表示する表示体５が設けられている。
【００１４】
図２は車載機器３の本体ケース４内に設けられた基板６を示すものであり、この基板６に前記表示体５が実装されている。
【００１５】
前記表示体５は、図３、図５に示すように、前記基板６上に、ライトガイド７、光拡散板８、表示素子９を順次積層配置した構造となっており、ライトガイド７には、基板６上に実装した光源（図示せず）が近接対向配置されている。
【００１６】
また、前記表示素子９は、その外周面において、複数の接続端子１１が前記基板６に延長されるともに、この延長部は基板６の貫通孔１２を貫通し、基板６の下面において、回路パターン（図示せず）と半田（図示せず）により電気的に接続されている。
【００１７】
そして以上の構成により、光源（図示せず）からの光を、ライトガイド７と光拡散板８により、表示素子９の下面全面に広げ、表示素子９の下面全面に広げ、液晶方式の表示素子９のバックライトとするものである。
【００１８】
前記表示体５はカバー１０にて覆われており、このカバー１０は、前記表示素子９の上面を覆う上面部１３と、前記表示素子９の外周面を覆う外周面部１４とを有し、前記上面部１３に、前記表示素子９を目視するための目視用開口部１５を形成するとともに、前記カバー１０の外周面部１４で、前記複数の接続端子１１群に対向する部分で、基板６に接する部分には、横広の通気用開口部１６を形成している。
【００１９】
なお、通気用開口部１６の横広さは、前記複数の接続端子１１群が基板６の貫通孔１２に接する部分の全域を目視できる大きさとしている。
【００２０】
以上の構成とすると、通気用開口部１６を通じてカバー１０内の通気が行えるので、光源（図示せず）による熱気をカバー１０外に放出し、この光源（図示せず）や表示素子９の動作の安定性を確保することが出来る。
【００２１】
また、前記通気用開口部１６は、カバー１０の外周面部１４で、前記接続端子１１に対向する部分に形成したものであるので、表示体５から通気用開口部１６を介してカバー１０外に漏れ出そうとする光の一部は、複数の接続端子１１で阻まれ、その結果としてカバー１０外に漏れ出す光の量を少なくすることができ、これにより表示体５における表示効果の低下を抑制することができる。
【００２２】
さらに、前記表示素子９の複数の接続端子１１は、上述のごとく、前記基板６に延長されるともに、この延長部は基板６の貫通孔１２を貫通し、基板６の下面において、回路パターン（図示せず）と半田（図示せず）により電気的に接続されているが、この電気的接続状態も通気用開口部１６を介して、目視確認することができるようになる。
【００２３】
すなわち、前記表示素子９の接続端子１１を基板６の下面において、回路パターン（図示せず）と半田（図示せず）により電気的に接続すると、半田が貫通孔１２内を上昇するので、各貫通孔１２の内部上方における半田の有無を、通気用開口部１６を介して、目視確認することで、表示素子９と、基板６下面の回路パターン（図示せず）との電気的接続状態を、目視確認することができるのである。
【００２４】
なお、上記実施形態においては、基板６上に実装した光源（図示せず）により、液晶方式の表示素子９のバックライトとしたが、表示素子９自体が光源を備えたものも、同様な構成が採用できる。
【産業上の利用可能性】
【００２５】
以上のように本発明は、基板と、この基板上に実装された表示体とを備え、前記表示体は、前記基板上に実装した表示素子と、この表示素子を覆ったカバーとを有し、前記表示素子は、その外周面において、複数の接続端子を前記基板に延長するとともに、この延長部において基板と電気的に接続した構成とし、前記カバーは、前記表示素子の上面を覆う上面部と、前記表示素子の外周面を覆う外周面部とを有し、前記カバーの上面部に、前記表示素子を目視するための目視用開口部を形成するとともに、前記カバーの外周面部で、前記接続端子に対向する部分には、通気用開口部を形成したものであるので、表示体における表示効果の低下を抑制することができる。
【００２６】
すなわち、本発明においては、前記カバーの外周面部で、前記接続端子に対向する部分には、通気用開口部を形成したものであるので、表示体から通気用開口部を介してカバー外に漏れ出そうとする光の一部は、この表示素子の外周面に設けた複数の接続端子で阻まれ、その結果としてカバー外に漏れ出す光の量を少なくすることができ、これにより表示体における表示効果の低下を抑制することができる。
【００２７】
したがって、車載機器などの電子機器としての活用が期待されるものとなる。
【符号の説明】
【００２８】
１  車内
２  ハンドル
３  車載機器
４  本体ケース
５  表示体
６  基板
７  ライトガイド
８  光拡散板
９  表示素子
１０  カバー
１１  接続端子
１２  貫通孔
１３  上面部
１４  外周面部
１５  目視用開口部
１６  通気用開口部
【図１】
2012134340.tif 000003
【図２】
2012134340.tif 000004
【図３】
2012134340.tif 000005
【図４】
2012134340.tif 000006
【図５】
2012134340.tif 000007